(57)【要約】      （修正有）【課題】人による捏ねを真似る按摩方式により人体を按摩するため、叩きによる痛みが発生せず、振動による握り困難も発生しないマッサージ器を提供する。【解決手段】マッサージ器はモータ１１と、歯車を有する減速モジュールと、を備え、モータは、減速モジュールを駆動する駆動モジュールを備える。マッサージ器はさらに、駆動モジュールと連接し、減速モジュールに駆動され、偏心ブロック２１とアーム２２を備えて偏心に揺動される偏心連動コンポーネントと、按摩コンポーネントと、ケースと、を備える。按摩コンポーネントは、偏心連動コンポーネントとそれぞれ連接し、偏心連動コンポーネントに、駆動されてケースに設けられたレールに沿って往復の捏ね動作を発生する二つの按摩ヘッドを備える。【選択図】図６
0003218383.tif 000002
【実用新案登録請求の範囲】
【請求項１】
モータと、減速モジュールと、を備え、前記モータは、前記減速モジュールを駆動するためのものである駆動モジュールと、
前記駆動モジュールと連接し、前記駆動モジュールの前記減速モジュールに駆動されて、偏心に揺動される偏心連動コンポーネントと、
二つの按摩ヘッドと、ケースと、を備え、二つの前記按摩ヘッドは、前記偏心連動コンポーネントとそれぞれ連接し、前記偏心連動コンポーネントに駆動されて往復の捏ね動作を発生し、前記ケースにレールが設けられている按摩コンポーネントと、
を備え、
これにより、前記駆動モジュールが起動されて、前記偏心連動コンポーネントを偏心に移動するときには、前記偏心連動コンポーネントに設けられている前記按摩コンポーネントが、前記ケースのレールに沿って、往復の直線的な捏ね動作を発生することを特徴とするマッサージ器。
【請求項２】
前記駆動モジュールは、モータと、減速モジュールと、を備え、前記モータは出力軸を備え、前記減速モジュールは、第１歯車と、第２歯車と、を備え、前記第１歯車は、より大径なアクティブ歯部と、前記アクティブ歯部と同軸に設けられ、より小径な受動歯部と、を備え、前記モータの出力軸は、前記第１歯車の前記アクティブ歯部と噛み合い、前記モータは前記第１歯車を駆動して回転することが可能であり、前記第１歯車の前記受動歯部は前記第２歯車と噛み合い、これにより、前記第１歯車と前記第２歯車とは、前記モータに駆動されて回転することが可能であり、前記駆動モジュールの外側には、前記駆動モジュールをカバーする部材ケースが設けられており、前記偏心連動モジュールは、二つの外偏心ブロックと、外揺動アームと、内揺動アームと、内偏心ブロックと、接続軸と、を備え、前記接続軸は、前記外偏心ブロック、前記内偏心ブロック及び前記第２歯車と同軸に接続し、前記第２歯車が回転しているときには、前記接続軸が駆動されて回転して、前記内偏心ブロック及び前記外偏心ブロックが駆動されて回転し、二つの前記外偏心ブロックは、前記部材ケースの外側に設けられており、前記外偏心ブロックに外揺動アームが連接されており、前記第２歯車が回転すると、前記外偏心ブロックが駆動されて回転し、前記外偏心ブロックが回転しているときには、前記外揺動アームが連動されて一定の角度内に揺動し、前記内揺動アームは前記部材ケース内に配されており、前記内揺動アームに軸穴が設けられており、前記内揺動アームの中段に貫通孔が設けられており、前記貫通孔は前記内偏心ブロックを収容し、前記内揺動アームは、前記内偏心ブロックに駆動されて、前記軸穴を中心として部材ケース内で往復に揺動し、前記按摩コンポーネントは、前記偏心連動コンポーネントと連接し、複数の支アームと、二セットの按摩ヘッドと、を備え、これらの前記支アームは、前記外揺動アーム及び前記内揺動アームとそれぞれ連接し、前記外揺動アームは、前記支アームがその両側に取り付けられており、前記支アームを組付けた後、係止部が形成され、前記按摩ヘッドにスロットが設けられており、前記係止部は前記スロットに差し込まれ、前記内揺動アームは、前記支アームがその下端に取り付けられており、前記内揺動アームの揺動動作は、前記軸穴を中心として、円弧状を呈する揺動経路を発生し、同じように、前記内揺動アームに組付けられている前記支アームは係止部を形成し、前記按摩ヘッドにスロットも設けられており、前記スロットに前記係止部が組付けられていることを特徴とする、請求項１に記載のマッサージ器。
【請求項３】
前記外揺動アームは、Ｌ字形を呈し、作動しているときに、距離がより長い揺動経路を発生することを特徴とする、請求項２に記載のマッサージ器。
【請求項４】
前記按摩ヘッドはシリコーンで作製されることを特徴とする、請求項２に記載のマッサージ器。
【請求項５】
前記ケースは、ボトル形状を呈し、その上端に握り部が設けられており、その下端にレールが設けられており、前記ケース内には、前述駆動モジュール、前記偏心連動コンポーネント及び前記按摩コンポーネントが取り付けられており、前記駆動モジュールを起動すると、前記按摩コンポーネントは、駆動されて、前記レールに沿って直線的な捏ね経路を発生することを特徴とする、請求項１又は２に記載のマッサージ器。
【請求項６】
前記ケースは按摩棒のシェルとされ、前記ケース内に、前記駆動モジュール、前記偏心連動コンポーネント及び前記按摩コンポーネントが取り付けられており、前記ケースは、ハンドル部と、肘部と、を備え、前記肘部の一側にレールが設けられており、前記駆動モジュールを起動すると、前記按摩コンポーネントは、駆動されて、前記レールに沿って直線的な捏ね経路を発生することを特徴とする、請求項１又は２に記載のマッサージ器。
【請求項７】
前記駆動モジュールには、必要の電力を供給するためのケーブルが接続されていることを特徴とする、請求項１又は２に記載のマッサージ器。
【請求項８】
前記部材ケース内に電池が設けられており、前記電池は前記モータに必要の電力を供給することを特徴とする、請求項２に記載のマッサージ器。
【請求項９】
前記ケースは、更に、起動スイッチを備え、ユーザーが前記起動スイッチを操作することにより、前記駆動モジュールを起動し、又は停止することが可能であることを特徴とする、請求項１又は２に記載のマッサージ器。
【考案の詳細な説明】
【技術分野】
【０００１】
本考案は、マッサージ器材に関し、特に、人による捏ねを真似るマッサージ器に関するものである。
【背景技術】
【０００２】
近年、国民は、仕事によるストレスにより、首や肩は痛みなどが発生しやすく、学生は、長期的に本を読むことにより、首や肩の筋肉が固くなり、痛みなども発生しやすい。
【０００３】
上記の問題を解決するために、あるメーカーは、例えば手動式のマッサージ器を開発した。このようなマッサージ器は、手動により、人体を往復に叩くことが必要なため、かなりの労力が掛かる。
【０００４】
上記の課題を解決するために、あるメーカーは、中華民国実用新案Ｍ５１１８５８号のマッサージ器を提案した。このようなマッサージ器は、本体内に振動装置が設けられており、電源を入れると、振動装置が振動を開始し、前端に設けられている按摩ボールにより、振動しながら人体を叩く。これにより、人体の筋肉のストレスを解消することが可能であり、疲労を無くすことが可能であり、痛みなどを緩和することも可能である。
【０００５】
しかし、上記のマッサージ器は、叩き及び振動だけの機能を有するため、人体の部位を捏ねることができず、筋肉にあるアミノ酸を分散することができない。このため、ユーザーは、マッサージによる効果を感じることが可能であるが、時間を過ごしたあと、体に痛みなどを依然として感じる。そして、あるユーザーは、叩き按摩を受けることができない。
【考案の概要】
【考案が解決しようとする課題】
【０００６】
本考案の主な目的は、偏心連動コンポーネントの駆動により、按摩モジュールを往復に揺動し、按摩モジュールの按摩経路は、人による捏ねと同じ按摩効果を得ることが可能なため、人体の筋肉のストレスを緩和することが可能であり、疲労を解消することも可能なマッサージ器を提供することにある。
【課題を解決するための手段】
【０００７】
本考案のマッサージ器によると、モータと、減速モジュールと、を備え、モータは、減速モジュールを駆動するためのものである駆動モジュールと、
駆動モジュールと連接し、駆動モジュールの減速モジュールに駆動されて、偏心に揺動される偏心連動コンポーネントと、
二つの按摩ヘッドと、ケースと、を備え、二つの按摩ヘッドは、偏心連動コンポーネントとそれぞれ連接し、偏心連動コンポーネントに駆動されて往復の捏ね動作を発生し、ケースにレールが設けられている按摩コンポーネントと、
を備え、
これにより、駆動モジュールが起動されて、偏心連動コンポーネントを偏心に移動するときには、偏心連動コンポーネントに設けられている按摩コンポーネントが、ケースのレールに沿って、往復の直線的な捏ね動作を発生することを特徴とする。
【０００８】
本考案のマッサージ器によると、駆動モジュールは、モータと、減速モジュールと、を備え、モータは出力軸を備え、減速モジュールは、第１歯車と、第２歯車と、を備え、第１歯車は、より大径なアクティブ歯部と、アクティブ歯部と同軸に設けられ、より小径な受動歯部と、を備え、モータの出力軸は、第１歯車のアクティブ歯部と噛み合い、モータは第１歯車を駆動して回転することが可能であり、第１歯車の受動歯部は第２歯車と噛み合い、これにより、第１歯車と第２歯車とは、モータに駆動されて回転することが可能であり、駆動モジュールの外側には、駆動モジュールをカバーする部材ケースが設けられており、偏心連動モジュールは、二つの外偏心ブロックと、外揺動アームと、内揺動アームと、内偏心ブロックと、接続軸と、を備え、接続軸は、外偏心ブロック、内偏心ブロック及び第２歯車と同軸に接続し、第２歯車が回転しているときには、接続軸が駆動されて回転して、内偏心ブロック及び外偏心ブロックが駆動されて回転し、二つの外偏心ブロックは、部材ケースの外側に設けられており、外偏心ブロックに外揺動アームが連接されており、第２歯車が回転すると、外偏心ブロックが駆動されて回転し、外偏心ブロックが回転しているときには、外揺動アームが連動されて一定の角度内に揺動し、内揺動アームは部材ケース内に配されており、内揺動アームに軸穴が設けられており、内揺動アームの中段に貫通孔が設けられており、貫通孔は内偏心ブロックを収容し、内揺動アームは、内偏心ブロックに駆動されて、軸穴を中心として部材ケース内で往復に揺動し、按摩コンポーネントは、偏心連動コンポーネントと連接し、複数の支アームと、二セットの按摩ヘッドと、を備え、これらの支アームは、外揺動アーム及び内揺動アームとそれぞれ連接し、外揺動アームは、支アームがその両側に取り付けられており、支アームを組付けた後、係止部が形成され、按摩ヘッドにスロットが設けられており、係止部はスロットに差し込まれ、内揺動アームは、支アームがその下端に取り付けられており、内揺動アームの揺動動作は、軸穴を中心として、円弧状を呈する揺動経路を発生し、同じように、内揺動アームに組付けられている支アームは係止部を形成し、按摩ヘッドにスロットも設けられており、スロットに係止部が組付けられていることを特徴とする。
【０００９】
本考案のマッサージ器によると、外揺動アームは、Ｌ字形を呈し、作動しているときに、距離がより長い揺動経路を発生することを特徴とする。
【００１０】
本考案のマッサージ器によると、按摩ヘッドはシリコーンで作製されることを特徴とする。
【００１１】
本考案のマッサージ器によると、ケースは、ボトル形状を呈し、その上端に握り部が設けられており、その下端にレールが設けられており、ケース内には、駆動モジュール、偏心連動コンポーネント及び按摩コンポーネントが取り付けられており、駆動モジュールを起動すると、按摩コンポーネントは、駆動されて、レールに沿って直線的な捏ね経路を発生することを特徴とする。
【００１２】
本考案のマッサージ器によると、ケースは按摩棒のシェルとされ、ケース内に、駆動モジュール、偏心連動コンポーネント及び按摩コンポーネントが取り付けられており、ケースは、ハンドル部と、肘部と、を備え、肘部の一側にレールが設けられており、駆動モジュールを起動すると、按摩コンポーネントは、駆動されて、レールに沿って直線的な捏ね経路を発生することを特徴とする。
【００１３】
本考案のマッサージ器によると、駆動モジュールには、必要の電力を供給するためのケーブルが接続されていることを特徴とする。
【００１４】
本考案のマッサージ器によると、部材ケース内に電池が設けられており、電池はモータに必要の電力を供給することを特徴とする。
【００１５】
本考案のマッサージ器によると、ケースは、更に、起動スイッチを備え、ユーザーが起動スイッチを操作することにより、駆動モジュールを起動し、又は停止することが可能であることを特徴とする。
【考案の効果】
【００１６】
本考案のマッサージ器によれば、人による捏ねを真似る按摩方式により人体を按摩するため、叩きによる痛みが発生せず、振動による握り困難も発生しないという効果を有する。
【図面の簡単な説明】
【００１７】
【図１】本考案の第１の実施形態に係るマッサージ器の構造を示す斜視図である。
【図２】本考案の第１の実施形態に係るマッサージ器の構造を別の視点から見た斜視図である。
【図３】本考案の第１の実施形態に係るケースを隠れた後の構造を示す図である。
【図４】図３の構造を示す分解斜視図である。
【図５】本考案の第１の実施形態に係るマッサージ器の構造を示す断面図である。
【図６】図５の別の位置の構造を示す模式図であって、減速モジュールの位置を示す。
【図７】第１の実施形態に係るマッサージ器の使用状態を示す図（一）であって、先に内揺動アームの動作方式を解説する。
【図８】第１の実施形態に係るマッサージ器の使用状態を示す図（二）であって、外揺動アームの動作方式を解説する。
【図９】第１の実施形態に係るマッサージ器の使用状態を示す図（三）であって、実際の使用の態様を説明する。
【図１０】本考案の第２の実施形態に係るマッサージ器の構造を示す斜視図である。
【図１１】本考案の第２の実施形態に係るマッサージ器からケースを取り外した構造を示す図である。
【図１２】本考案の第２の実施形態に係るマッサージ器からケースを取り外した構造を別の視点から見た斜視図である。
【考案を実施するための形態】
【００１８】
以下、本考案の実施の形態を図面に基づいて説明する。
【００１９】
（第１の実施形態）
図１から図９を参照する。本実施形態に係るマッサージ器は、駆動モジュール１と、偏心連動コンポーネント２と、按摩コンポーネント３と、ケース４と、を備える。
【００２０】
図３から図８を参照する。駆動モジュール１は、モータ１１と、減速モジュール１３と、を備える。モータ１１は出力軸１２を備える。図４から図６を参照する。減速モジュール１３は、第１歯車１３１と、第２歯車１３２と、を備える。第１歯車１３１は、より大径なアクティブ歯部１３１１と、アクティブ歯部１３１１と同軸に設けられ、より小径な受動歯部１３１２と、を有する。図５から図７を参照する。モータ１１の出力軸１２は、第１歯車１３１のアクティブ歯部１３１１と噛み合う。モータ１１を起動すると、出力軸１２が第１歯車１３１を駆動して回転する。第１歯車１３１の受動歯部１３１２は、第２歯車１３２と噛み合う。これにより、第１歯車１３１と第２歯車１３２とは、モータ１１に駆動されて回転することが可能である。また、図３から図８に示すように、駆動モジュール１は、駆動モジュール１を覆う部材ケース１４を備える。
【００２１】
図３から図８を参照する。偏心連動コンポーネント２は、二つの外偏心ブロック２１と、外揺動アーム２２と、内揺動アーム２３と、内偏心ブロック２４と、接続軸２５と、を備える。接続軸２５は、図１に示すように、外偏心ブロック２１、内偏心ブロック２４及び第２歯車１３２と同軸に接続する。第２歯車１３２が回転すると、接続軸２５が駆動されて回転して、内偏心ブロック２４及び外偏心ブロック２１が駆動されて偏心に回転する。
【００２２】
図３から図９を参照する。二つの外偏心ブロック２１は、部材ケース１４の外側に設けられている。外偏心ブロック２１に外揺動アーム２２が連接されている。第２歯車１３２が回転すると、外偏心ブロック２１が駆動されて回転する。図４から図６及び８図に示すように、外偏心ブロック２１が回転すると、外揺動アーム２２が連動されて一定の角度内に揺動する。外揺動アーム２２は、Ｌ字形を呈し、作動時に、距離がより長い揺動経路を発生する。
【００２３】
図３及び図４を参照する。内揺動アーム２３は部材ケース１４内に配されている。内揺動アーム２３に軸穴２３１が設けられている。内揺動アーム２３の中段に貫通孔２３２が設けられている。貫通孔２３２は内偏心ブロック２４を収容する。内揺動アーム２３は、内偏心ブロック２４に駆動されて、軸穴２３１を中心として、部材ケース１４内で往復に揺動することが可能である。
【００２４】
図３から図９を参照する。按摩コンポーネント３は、偏心連動コンポーネント２と連接し、複数の支アーム３１と、二セットの按摩ヘッド３２と、を備える。これらの支アーム３１は、外揺動アーム２２及び内揺動アーム２３とそれぞれ連接する。外揺動アーム２２は、支アーム３１がその両側に取り付けられている。支アーム３１を組付けた後、係止部３１Ａが形成される。按摩ヘッド３２にスロット３２１が設けられている。スロット３２１に係止部３１Ａを差し込むことが可能である。内揺動アーム２３は、支アーム３１がその下端に取り付けられている。内揺動アーム２３の揺動動作は、図５及び図７に示すように、軸穴２３１を中心として、円弧状の揺動経路を発生する。同じように、内揺動アーム２３に組付けられている支アーム３１は、係止部３１Ａを形成する。按摩ヘッド３２にスロット３２１が設けられている。スロット３２１に係止部３１Ａを組付けることが可能である。駆動モジュール１を起動すると、按摩コンポーネント３の挟み動作が往復に発生する。一方、按摩効果をもっと快適にするために、按摩ヘッド３２の材料がシリコーンを採用してもよい。
【００２５】
図１及び図２を参照する。ケース４は、ボトル形状を呈し、その上端に握り部４１が設けられており、その下端にレール４２が設けられている。図１から図９を参照する。ケース４内には、駆動モジュール１、偏心連動コンポーネント２及び按摩コンポーネント３が取り付けられている。駆動モジュール１のモータ１１を起動すると、按摩コンポーネント３が駆動されて、レール４２に沿って直線的な捏ね経路Ｍを発生する。
【００２６】
図１から図９を参照する。駆動モジュール１、偏心連動コンポーネント２、按摩コンポーネント３及びケース４を順次に組み合わせることにより、駆動モジュール１及び偏心連動コンポーネント２がケース４内に取り付けられており、按摩コンポーネント３の按摩ヘッド３２がケース４の外側に組付けられている。駆動モジュール１を起動すると、偏心連動コンポーネント２が回転する。外偏心ブロック２１と内偏心ブロック２４とにより、外揺動アーム２２と内揺動アーム２３とが往復で直線的に変位し、ひいては按摩コンポーネント３が往復で直線的に捏ね動作を行う。これにより、人体の首、肩、手及び太ももなどの部位に対して、筋肉に累積するアミノ酸を有効に分散することが可能であり、筋肉をリラックスすることが可能である。
【００２７】
（第２の実施形態）
図１０から図１２を参照する。本実施形態に係るマッサージ器は、基本的に第１の実施形態と同じように、駆動モジュール１と、偏心連動コンポーネント２と、按摩コンポーネント３と、ケース４′と、を備える。しかし、本実施形態に係るマッサージ器の第１の実施形態と相違する点は、ケース４′が按摩棒のシェルとされ、ケース４′は、ハンドル部４１′と、肘部４２′と、を備え、肘部４２′の一側にレール４２１′が設けられており、レール４２１′により、按摩コンポーネント３が直線的な捏ね経路Ｍを発生して、人体に対して、人による捏ねを真似る按摩動作を加えることが可能であることにある。これにより、ユーザーは、手が大きい角度に体を揺動せず、首や肩などの部位に対して按摩を行うことが可能である。
【００２８】
本考案の実施形態に係るケース４,４′は、更に起動スイッチを備える。これにより、ユーザーは、前記起動スイッチを操作することにより、駆動モジュール１を起動し、又は停止することが可能である。
【００２９】
本考案の全ての実施形態では、駆動モジュール１のモータ１１には、必要の電力を供給するためのケーブルが接続されており、又は部材ケース１４内に電池が設けられている。前記電池は、モータ１１に必要の電力を供給する。
【００３０】
また、本考案に係るマッサージ器の構造は、従来の振動および叩きによる按摩の方式と異なり、人による捏ねを真似る按摩方式により人体を按摩するため、叩きによる痛みが発生せず、振動による握り困難も発生しない。
【００３１】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３２】
１  駆動モジュール
２  偏心連動コンポーネント
３  按摩コンポーネント
４  ケース
４′  ケース
１１  モータ
１２  出力軸
１３  減速モジュール
１４  部材ケース
２１  外偏心ブロック
２２  外揺動アーム
２３  内揺動アーム
２４  内偏心ブロック
２５  接続軸
３１  支アーム
３１Ａ  係止部
３２  按摩ヘッド
４１  握り部
４１′  ハンドル部
４２  レール
４２′  肘部
１３１  第１歯車
１３２  第２歯車
２３１  軸穴
２３２  貫通孔
３２１  スロット
４２１′  レール
１３１１  アクティブ歯部
１３１２  受動歯部
Ｍ  捏ね経路
【図１】
0003218383.tif 000003
【図２】
0003218383.tif 000004
【図３】
0003218383.tif 000005
【図４】
0003218383.tif 000006
【図５】
0003218383.tif 000007
【図６】
0003218383.tif 000008
【図７】
0003218383.tif 000009
【図８】
0003218383.tif 000010
【図９】
0003218383.tif 000011
【図１０】
0003218383.tif 000012
【図１１】
0003218383.tif 000013
【図１２】
0003218383.tif 000014